(57)【要約】      （修正有）【課題】摺擦される汚れ面と摺擦面の間で接触状態のばらつきや変動が小さく、汚れ面に対する摺擦効率が高いスポンジたわしを提供する。【解決手段】汚れ面６ａを摺擦する摺擦面２ｂと、片手の親指と中指とで挟んで保持される一対の側面２ｃ、２ａと、摺擦面の反対側の上面２ａと摺擦面とを貫通させた貫通孔３と、を有する、片手に収まる直方体のスポンジたわし２であって、貫通孔に片手の人差し指を沈み込ませることにより、摺擦面を汚れ面に向かって加圧すると共に人差し指と親指の間及び人差し指と中指の間に分けてスポンジたわしを一対の側面の対向方向に保持するように構成されている。【選択図】図３
0003231979.tif 000002
【実用新案登録請求の範囲】
【請求項１】
汚れ面を摺擦する摺擦面と、片手の親指と中指とで挟んで保持される一対の側面と、前記摺擦面の反対側の上面と前記摺擦面とを貫通させた貫通孔と、を有する、片手に収まる直方体のスポンジたわしであって、
前記貫通孔に前記片手の人差し指を沈み込ませることにより、前記摺擦面を前記汚れ面に向かって加圧すると共に前記人差し指と前記親指の間及び前記人差し指と前記中指の間に分けて前記スポンジたわしを前記一対の側面の対向方向に保持するものであることを特徴とする、スポンジたわし。
【請求項２】
汚れ面を摺擦する摺擦面と、片手の親指と中指とで挟んで保持される一対の側面と、前記摺擦面の反対側の上面と前記摺擦面とを貫通させた貫通孔と、を有する、片手に収まる直方体のスポンジたわしであって、
前記貫通孔に前記片手の人差し指を沈み込ませることにより、前記摺擦面を前記汚れ面に向かって加圧すると共に前記スポンジたわしの上面と前記人差し指の前記摺擦面に沿った方向の滑りを規制するものであることを特徴とする、スポンジたわし。
【請求項３】
前記貫通孔の開口面積が前記人差し指の断面積よりも小さく、前記摺擦面により前記汚れ面を摺擦する際に前記貫通孔に沈み込ませた前記人差し指の先端が前記汚れ面から離間しているように構成されていることを特徴とする、請求項１又は２に記載のスポンジたわし。
【請求項４】
前記摺擦面は、メラミンスポンジ材料からなることを特徴とする、請求項３に記載のスポンジたわし。
【請求項５】
前記摺擦面を有してメラミンスポンジ材料からなるメラミンスポンジ層と、前記上面を有して前記メラミンスポンジ層に接合されたウレタンスポンジ材料からなるウレタンスポンジ層と、からなることを特徴とする、請求項３に記載のスポンジたわし。
【請求項６】
前記ウレタンスポンジ層は、前記メラミンスポンジ層よりも厚みが小さいことを特徴とする、請求項５に記載のスポンジたわし。
【請求項７】
前記一対の側面の距離は、前記人差し指の直径の２倍以上５倍以下であることを特徴とする、請求項３に記載のスポンジたわし。
【請求項８】
平面形状が正方形であって、当該正方形の中心に前記貫通孔が形成されていることを特徴とする、請求項１〜７のいずれか１項に記載のスポンジたわし。
【請求項９】
前記貫通孔の直径は８ｍｍ以上１５ｍｍ以下であることを特徴とする請求項８に記載のスポンジたわし。
【請求項１０】
前記貫通孔の直径は１０ｍｍ以上１２ｍｍ以下であることを特徴とする請求項８に記載のスポンジたわし。
【請求項１１】
前記正方形が４０ｍｍ×４０ｍｍ、高さが２２ｍｍであることを特徴とする、請求項１０に記載のスポンジたわし。
【請求項１２】
前記中指を薬指とし、前記人差し指を中指又は人差し指としたことを特徴とする、請求項１〜７のいずれか１項に記載のスポンジたわし。
【考案の詳細な説明】
【技術分野】
【０００１】
この考案は、好ましくはメラミンスポンジ材料からなるスポンジたわしに関する。
【背景技術】
【０００２】
微細な網状の連続気泡組織を有するメラミンスポンジ材料は、キッチン、ガス台、機械部品、タイル、浴室、建物の光沢部、食器、ガラス器等の汚れ落としに使用できるスポンジたわしの材料として注目されている。メラミンスポンジ材料からなるスポンジたわしは、水をつけて汚れ面を摺擦するだけで、油汚れや水垢をこすり取ることができる。例えば、特許文献１には、メラミンスポンジ材料からなるメラミンスポンジ層と、ウレタンスポンジ材料からなるウレタンスポンジ層とを積層したスポンジたわしが提案されている。
【０００３】
また、汚れ面を摺擦する摺擦面と、片手で掴んで保持される一対の側面と、摺擦面の反対側の上面と摺擦面を貫通させた貫通孔と、を有する、片手に収まるスポンジたわしが提案されている。例えば、特許文献２には、平面六角形の多層のスポンジの平面中央に丸孔の貫通孔を設けたスポンジたわしが提案されている。また、特許文献３には、直方体のスポンジの上下位置に片寄せて合計４か所の貫通孔を設けた洗車用スポンジが提案されている。
【先行技術文献】
【特許文献】
【０００４】
【特許文献１】特開２００３−１１６７６２号公報
【特許文献２】意匠登録第１５３０８１４号公報
【特許文献３】特開２００２−３１６６２１号公報
【考案の概要】
【考案が解決しようとする課題】
【０００５】
優れた拭き取り性能を有するメラミンスポンジ材料は、メラミン樹脂の連続気泡組織に脆い性質があるため、強く圧縮すると変形し、強い応力を反転してかけ続けると耐久性に問題がある。
【０００６】
図９（ａ）は、比較例のスポンジたわし２Ｈを片手９の親指９ａと人差し指９ｃで強く挟んだ状態で汚れ面６ａに押し付けて往復移動させることにより、汚れ面６ａを摺擦している状態を示している。比較例のスポンジたわし２Ｈは、後述する実施の形態１のスポンジたわし２において貫通孔３を有しないものである。スポンジたわし２Ｈは、メラミンスポンジ層５とウレタンスポンジ層４と、を有し、平面が正方形で４０ｍｍ×４０ｍｍ、高さが２２ｍｍの直方体である。
【０００７】
比較例のスポンジたわし２Ｈは、このような摺擦を続けると、発泡組織に強い応力が反転してかけ続けられるため、メラミンスポンジ層５の発泡組織が疲労して崩れる。その結果、図９（ｂ）に示すように、スポンジたわし２Ｈの形が変形して、手持ちを解除しても元の形に戻らなくなる。スポンジたわし２Ｈの再利用ができないため経済的でなく、プラスチック廃棄物を増やす結果となる。
【０００８】
また、図９（ａ）に示すスポンジたわし２Ｈの持ち方では、メラミンスポンジ層５に水を保持させることが困難であることに加えて、摺擦面２ｂが凹凸になるため、摺擦面２ｂと汚れ面６ａの接触状態がばらついて摺擦効率が低下し、汚れ面６ａに傷が付く等、汚れ面６ａ全体の拭き取り結果にばらつきが出てしまう。
【０００９】
そこで、図６に示すように、片手の親指９ａと中指９ｂで一対の側面２ｃ，２ｃを保持したスポンジたわし２Ｈの上面２ａを、人差し指９ｃの腹で押圧して、スポンジたわし２Ｈを汚れ面６ａに押し付けることが提案された。この持ち方の場合、図５の（ａ）の持ち方に比較すると、スポンジたわし２Ｈの変形が解消され、摺擦効率の低下及び汚れ面６ａ全体の拭き取り結果のばらつきもある程度改善された。
【００１０】
しかし、片手の親指９ａと中指９ｂの間で緩く挟まれたスポンジたわし２Ｈの部分がスポンジたわし２Ｈの往復移動に伴って伸縮するため、スポンジたわし２Ｈの摺擦面の圧力を安定して維持できない。スポンジたわし２Ｈの部分の往復移動に伴って人差し指９ｃの腹がスポンジたわし２Ｈに対して滑って位置ずれするため、摺擦面２ｂの圧力を安定して維持できない。
【００１１】
本考案は、このような課題を解決するためになされたものであり、その目的とするところは、摺擦される汚れ面との間で接触状態のばらつきが小さく摺擦効率が高いスポンジたわしを提供することを目的としている。
【課題を解決するための手段】
【００１２】
上述した目的を達成するため、請求項１に記載された本考案のスポンジたわしは、汚れ面を摺擦する摺擦面と、片手の親指と中指とで挟んで保持される一対の側面と、前記摺擦面の反対側の上面と前記摺擦面とを貫通させた貫通孔と、を有する、片手に収まる直方体のスポンジたわしであって、前記貫通孔に前記片手の人差し指を沈み込ませることにより、前記摺擦面を前記汚れ面に向かって加圧すると共に前記人差し指と前記親指の間及び前記人差し指と前記中指の間に分けて前記スポンジたわしを前記一対の側面の対向方向に保持するものであることを特徴とする。
【００１３】
上述した目的を達成するため、請求項２に記載された本考案のスポンジたわしは、汚れ面を摺擦する摺擦面と、片手の親指と中指とで挟んで保持される一対の側面と、前記摺擦面の反対側の上面と前記摺擦面とを貫通させた貫通孔と、を有する、片手に収まる直方体のスポンジたわしであって、前記貫通孔に前記片手の人差し指を沈み込ませることにより、前記摺擦面を前記汚れ面に向かって加圧すると共に前記スポンジたわしの上面と前記人差し指の前記摺擦面に沿った方向の滑りを規制するものであることを特徴とする。
【００１４】
請求項３に記載された本考案のスポンジたわしは、前記貫通孔の開口面積が前記人差し指の断面積よりも小さく、前記摺擦面により前記汚れ面を摺擦する際に前記貫通孔に沈み込ませた前記人差し指の先端が前記汚れ面から離間しているように構成されていることを特徴とする。
【００１５】
請求項４に記載された本考案のスポンジたわしは、前記摺擦面がメラミンスポンジ材料からなることを特徴とする。
【００１６】
請求項５に記載された本考案のスポンジたわしは、前記摺擦面を有してメラミンスポンジ材料からなるメラミンスポンジ層と、前記上面を有して前記メラミンスポンジ層に接合されたウレタンスポンジ材料からなるウレタンスポンジ層と、からなることを特徴とする。
【００１７】
請求項６に記載された本考案のスポンジたわしは、前記ウレタンスポンジ層が、前記メラミンスポンジ層よりも厚みが小さいことを特徴とする。
【００１８】
請求項７に記載された本考案のスポンジたわしは、前記一対の側面の距離が、前記人差し指の直径の２倍以上５倍以下であることを特徴とする。
【００１９】
請求項８に記載された本考案のスポンジたわしは、平面形状が正方形であって、当該正方形の中心に前記貫通孔が形成されていることを特徴とする。
【００２０】
請求項９に記載された本考案のスポンジたわしは、前記貫通孔の直径が８ｍｍ以上１５ｍｍ以下であることを特徴とする。
【００２１】
請求項１０に記載された本考案のスポンジたわしは、前記貫通孔の直径が１０ｍｍ以上１２ｍｍ以下であることを特徴とする。
【００２２】
請求項１１に記載された本考案のスポンジたわしは、前記正方形が４０ｍｍ×４０ｍｍ、高さが２２ｍｍであることを特徴とする。
【００２３】
請求項１２は、請求項１〜７において、前記中指を薬指とし、前記人差し指を中指又は人差し指としたことを特徴とする。
【考案の効果】
【００２４】
本考案のスポンジたわしは、請求項１のように構成すると、貫通孔に人差し指を沈み込ませることにより、摺擦面を汚れ面に向かって加圧すると同時に人差し指と親指の間及び人差し指と中指の間に分けてスポンジたわしを一対の側面の対向方向に保持することができる。このため、摺擦される汚れ面と摺擦面との間で接触状態のばらつきが小さく摺擦効率が高いスポンジたわしを提供することができる。
【００２５】
本考案のスポンジたわしは、請求項２のように構成すると、貫通孔に人差し指を沈み込ませることにより、摺擦面を汚れ面に向かって加圧すると同時にスポンジたわしの上面と人差し指の摺擦面に沿った方向の滑りを規制することができる。このため、摺擦される汚れ面と摺擦面との間で接触状態のばらつきが小さく摺擦効率が高いスポンジたわしを提供することができる。
【００２６】
本考案のスポンジたわしは、請求項３のように構成すると、汚れ面を摺擦する際に第３指の先端が貫通孔を貫通して汚れ面に接触することを回避すると同時に、スポンジたわしの平面形状の一定位置を汚れ面に向かって垂直に押圧することができる。
【００２７】
本考案のスポンジたわしは、請求項４のように構成すると、摺擦面がメラミンスポンジ材料で構成されるので、スポンジたわしとしての耐久性を確保しつつ、メラミンスポンジ材料に特有の上述した拭き取り効果を引き出すことができる。
【００２８】
本考案のスポンジたわしは、請求項５のように構成すると、人差し指が、柔らかいウレタンスポンジ層を介して硬いメラミンスポンジ層を加圧するので、汚れ面に対する摺擦面の圧力分布のばらつきが小さくなる。スポンジたわしの全体がメラミンスポンジ材料の場合に比較して、挿入した人差し指の感触が改善される。
【００２９】
本考案のスポンジたわしは、請求項６のように構成すると、比較的に剛性の高いウレタンスポンジ層の厚みを大きく確保することで、摺擦を伴ったスポンジたわしの往復移動に伴うスポンジたわしの振動や変形を抑制できる。
【００３０】
本考案のスポンジたわしは、請求項７のように構成すると、ウレタンスポンジ層の厚み／一対の側面の距離比を確保することで、スポンジたわしの往復移動に伴うスポンジ組織の伸縮を減らしてスポンジたわしの振動や変形を抑制できる。
【００３１】
本考案のスポンジたわしは、請求項８のように構成すると、平面形状の正方形の上面の中央を人差し指で加圧するので、摺擦面全体の圧力分布の偏りを小さくすることができる。
【００３２】
本考案のスポンジたわしは、請求項９〜１１のように構成及び寸法を決定して試作を行った結果、良好な拭き取り能力、高い作業性、好ましい手持ち感覚、及び快適な摺擦の手応えが実験的に確認された。
【００３３】
本考案のスポンジたわしは、請求項１２のように読み替えると、スポンジたわしを片手で手持ちする際に薬指を関与させることができる。
【図面の簡単な説明】
【００３４】
【図１】本考案の実施の形態１に係るスポンジたわしの斜視図である。
【図２】図１に示すスポンジたわしの形状及び構造の説明図であって、図１のＡ−Ａ断面図及びＢ−Ｂ断面図である。
【図３】図１に示すスポンジたわしの使用方法の説明図であって、（ａ）は貫通孔に人差し指を沈み込ませる前の手持ち状態の斜視図、（ｂ）は貫通孔に人差し指を沈み込ませた手持ち状態の斜視図である。
【図４】図１に示すスポンジたわしにおいて貫通孔に人差し指を沈み込ませる効果の説明図であって、貫通孔に人差し指を沈み込ませた状態のスポンジたわしの断面図である。
【図５】本考案の実施の形態２のスポンジたわしの説明図であって、（ａ）はスポンジたわしの斜視図、（ｂ）は別のスポンジたわしの斜視図である。
【図６】本考案の実施の形態２のスポンジたわしの説明図であって、（ａ）はスポンジたわしの斜視図、（ｂ）は別のスポンジたわしの斜視図である。
【図７】本考案の実施の形態２のスポンジたわしの説明図であって、スポンジたわしの斜視図である。
【図８】本考案の実施の形態３のスポンジたわしの説明図であって、スポンジたわしの斜視図である。
【図９】比較例のスポンジたわしが有する課題の説明図であって、（ａ）はスポンジたわしの側面を強く挟んで手持ち保持した状態の平面図、（ｂ）は変形したスポンジたわしの平面図である。
【図１０】比較例のスポンジたわしが有する課題の説明図であって、スポンジたわしを手持ち保持して上面を人差し指の腹で加圧した状態の断面図である。
【考案を実施するための形態】
【００３５】
以下、添付した図面を参照しつつ、本考案に係るスポンジたわしの実施の形態について詳細に説明する。以下の実施の形態１〜３では、摺擦面がメラミンスポンジ材料からなるスポンジたわしを説明しているが、後述するように、本考案のスポンジたわしはこれに限定されない。
【００３６】
［実施の形態１］
図１〜３に示すように、本考案の実施の形態１のスポンジたわし２は、平面形状が正方形の直方体に形成され、ユーザーが片手９で手持ちして摺擦対象６の汚れ面６ａに沿って往復移動させることにより汚れ面６ａの汚れを拭き取るものである。
【００３７】
スポンジたわし２は、汚れ面６ａを摺擦する摺擦面２ｂと、片手９の親指９ａと中指９ｂとで挟んで保持される一対の側面２ｃ，２ｃと、摺擦面２ｂの反対側の上面２ａと摺擦面２ｂとを貫通させた貫通孔３と、を有する、片手９に収まる直方体のスポンジたわし２であって、貫通孔３は、片手９の人差し指９ｃを沈み込ませることにより、摺擦面２ｂを汚れ面６ａに向かって加圧すると共に人差し指９ｃと親指９ａの間及び人差し指９ｃと中指９ｂの間に分けてスポンジたわし２を一対の側面２ｃ，２ｃの対向方向に保持するものである。図３（ｂ）に示すように、スポンジたわし２は、人差し指９ｃを貫通孔３に沈み込ませることにより、人差し指９ｃを間に挟んで親指９ａと中指９ｂとでスポンジたわし２のスポンジ組織を２つに分けて保持するので、汚れ面６ａの摺擦において、片手９に対するスポンジたわし２の移動、離脱、変形を回避できる。このため、スポンジたわし２が汚れ面６ａに安定して加圧される。
【００３８】
図４に示すように、貫通孔３は、ユーザーが片手９の人差し指９ｃを沈み込ませることにより、摺擦面２ｂを汚れ面６ａに向かって加圧すると共に人差し指９ｃの摺擦面２ｂに沿った方向の滑りを規制するものである。スポンジたわし２は、人差し指９ｃを貫通孔３に沈み込ませることにより、スポンジたわし２を往復移動させた際の人差し指９ｃの滑りを規制している。
【００３９】
図３（ａ）に示すように、ユーザーは、発泡組織に水を含ませたスポンジたわし２の側面２ｃ，２ｃを親指９ａと中指９ｂで緩く挟んだ状態で、図３（ｂ）に示すように、貫通孔３に人差し指９ｃを沈み込ませてスポンジたわし２を汚れ面６ａに向かって押圧する。このとき、図４に示すように、人差し指９ｃから貫通孔３を介してスポンジたわし２に押圧力が作用し、摺擦面２ｂには貫通孔３を中心とする同心円状の圧力分布が形成されて、汚れ面６ａに摺擦面２ｂが安定して押し付けられる。
【００４０】
ユーザーは、この状態でスポンジたわし２を汚れ面６ａに沿って例えば矢印Ｒ１方向に往復移動させる。これにより、スポンジたわし２は、スポンジ組織に過剰な伸縮や応力変動を及ぼすことなく、摺擦面２ｂの広い面積を摺擦に関与させた高い摺擦効率で汚れ面６ａを摺擦することができる。このとき、貫通孔３の一端を人差し指９ｃで閉じられて水を含んだスポンジたわし２は一種の吸盤として機能するので、摺擦面２ｂと汚れ面６ａの接触が改善されている。また、貫通孔３は両端が開放されているため、水中のもみ洗い程度でも、スポンジたわし２に異物が残らない。
【００４１】
図２に示すように、スポンジたわし２は、摺擦面２ｂを有してメラミンスポンジ材料からなるメラミンスポンジ層５と、上面２ａを有してメラミンスポンジ層５に接合されるウレタンスポンジ材料からなるウレタンスポンジ層４と、を有する。したがって、スポンジたわし２の摺擦面２ｂは、メラミンスポンジ材料からなる。スポンジたわし２は、メラミンスポンジシートにウレタンスポンジシートを接着した大きなシート状の複合スポンジ材料から、正方形の外形と同時に丸孔の貫通孔を打ち抜き加工して製造されている。
【００４２】
メラミンスポンジ層５は、メラミン樹脂材料を発泡させて形成したものであって、ウレタンスポンジ層４に比べて発泡密度が高く、メラミン樹脂の連続気泡からなる網目状のスポンジ組織を有して、組織が硬質である。このため、メラミンスポンジ層５は、優れた拭き取り能力を有し、洗剤や研磨剤を使用しなくても、水に浸して濡らせた状態で汚れ面６ａを摺擦するだけで、汚れ面６ａを傷つけることなく、汚れ面６ａに付着した水垢や油汚れを拭き取ることができる。
【００４３】
一方、ウレタンスポンジ層４は、非常に柔軟性があり、かつ吸水性がある。このため、スポンジたわし２をメラミンスポンジ層５とウレタンスポンジ層４の二重構造とすることにより、メラミンスポンジ層５による汚れの拭き取り後にスポンジたわし２を裏返してウレタンスポンジ層４によって汚れ面６ａに残った水分の拭き取りを行うことが可能である。
【００４４】
また、ウレタンスポンジ層４は、メラミンスポンジ層５に対して熱溶着性および接着性に優れているので、メラミンスポンジ層５とウレタンスポンジ層４との二重構造を強固に接合することが可能である。ウレタンスポンジ層４は、発泡組織の柔らかさから、メラミンスポンジ層５のように皮膚を損傷させることがなく手持ちした感覚も良好である。
【００４５】
スポンジたわし２は、貫通孔３の開口面積が人差し指９ｃの断面積よりも小さく、貫通孔３の直径が人差し指９ｃの太さよりも小さいので、摺擦面２ｂにより汚れ面６ａを摺擦する際に貫通孔３に沈み込ませた人差し指９ｃの先端が汚れ面６ａから離間している。このため、スポンジたわし２で汚れ面６ａを摺擦する際に、人差し指９ｃの先端が貫通孔３を突き抜けて汚れ面６ａに接触することを回避しつつ、スポンジたわし２の平面の一定位置を汚れ面６ａに向かって垂直に安定して押圧することができる。このため、スポンジたわし２の往復移動に伴う摺擦面２ｂの圧力分布の変動が小さくなる。
【００４６】
そして、貫通孔３は、ウレタンスポンジ層４とメラミンスポンジ層５とを貫通して形成されているところ、ウレタンスポンジ層４は、メラミンスポンジ層５に比較して柔らかく摩擦が大きいので、貫通孔３による人差し指９ｃの拘束はより確実で安定したものとなっている。そして、人差し指９ｃが、比較的に柔らかいウレタンスポンジ層４を介して比較的に硬いメラミンスポンジ層５を加圧するので、摺擦面２ｂの圧力分布のばらつきが小さくなる。スポンジたわし２の全体がメラミンスポンジ材料の場合に比較して、人差し指９ｃの手触り、摺擦時の片手への吸いつき感、摺擦時の手応えがそれぞれ改善されている。
【００４７】
また、ウレタンスポンジ層４は、メラミンスポンジ層５よりも厚みが小さいため、人差し指９ｃでスポンジたわし２を押圧する力を大きくした場合でも、人差し指９ｃが貫通孔３を突き抜けて汚れ面６ａに摺擦することが回避されている。また、比較的に剛性の高いメラミンスポンジ層５の厚みを大きく確保することで、スポンジたわし２の往復移動に伴うスポンジたわし２の振動や変形を抑制している。
【００４８】
図１に示すように、一対の側面２ｃ，２ｃの距離は、人差し指９ｃの直径の２倍以上５倍以下であるため、人差し指９ｃでスポンジたわし２を押圧する力を大きくした場合でも、スポンジたわし２が波打ち変形し難くなっている。メラミンスポンジ層５の厚み／一対の側面の距離比を大きく確保することで、摺擦を伴ったスポンジたわし２の往復移動に伴うスポンジたわし２の振動や変形を抑制している。
【００４９】
図３（ｂ）に示すように、スポンジたわし２は、貫通孔３に沈み込ませた人差し指９ｃでスポンジたわし２の中央を押圧するので、摺擦面２ｂ全体の圧力の偏りとばらつきを小さくすることができる。スポンジたわし２は、平面形状が正方形であるため、スポンジたわし２の摺擦方向の決め方、持ち方の自由度が高くなっている。例えば、一対の側面２ｄ，２ｄを親指９ａと中指９ｂとで緩く挟み込んで貫通孔３に人差し指を沈み込ませることも自在である。貫通孔３に人差し指９ｃを保持させた状態で圧力を弱めてスポンジたわし２を回転させることも可能である。
【００５０】
実施の形態１のスポンジたわし２は、平面形状の正方形が４０ｍｍ×４０ｍｍ、高さが２２ｍｍ、貫通孔３の直径が１０ｍｍである。また、ウレタンスポンジ層４の厚み８ｍｍに対してメラミンスポンジ層５の厚み１４ｍｍである。これにより、優れた拭き取り効果と、手持ち時の感触の良さと、安定した往復移動の手応えと、が実験的に確認されている。なお、貫通孔３の直径は、ユーザーの人差し指の太さに応じて８ｍｍ以上１５ｍｍ以下の範囲で複数段階準備することが望ましい。沈み込みが深すぎると指先が汚れ面６ａに接触する一方、沈み込みが浅すぎるとスポンジたわし２を二つに分けた保持が不確実になって滑りが発生するからである。また、１種類のスポンジたわしによる汎用性を考慮すると、貫通孔３の直径は、１０ｍｍ以上１２ｍｍ以下とすることが望ましい。
【００５１】
［実施の形態２］
実施の形態１では、ウレタンスポンジ層とメラミンスポンジ層の二層構造からなるスポンジたわしを説明した。これに対して、実施の形態２では、図５〜図７に示すように、メラミンスポンジ層の一層構造からなるスポンジたわし２Ａ〜２Ｅを説明する。
【００５２】
図５〜図７に示すように、実施の形態２のスポンジたわし２Ａ〜２Ｅは、外形寸法及び貫通孔３Ａ〜３Ｅの直径が異なる以外は相互に同一に構成されている。また、上述したように、メラミンスポンジ層の一層構造からなる以外は、実施の形態１のスポンジたわし２とほぼ同様に構成され、ほぼ同様に使用される。したがって、図５〜図７中、実施の形態１と共通する部材には図１〜図４と同一の符号を付して重複する説明を省略する。
【００５３】
実施の形態２のスポンジたわし２Ａ〜２Ｅは、平面が正方形で厚みのあるウレタンスポンジ層の一層からなる。スポンジたわし２Ａ〜２Ｅは、汚れ面６ａを摺擦する摺擦面２ｂと、片手９の親指９ａと中指９ｂとで挟んで保持される一対の側面２Ａｃ〜２Ｅｃ，２Ａｃ〜２Ｅｃと、摺擦面２Ａｂ〜２Ｅｂの反対側の上面２Ａａ〜２Ｅａと摺擦面２Ａｂ〜２Ｅｂとを貫通させた貫通孔３Ａ〜３Ｅと、を有する、片手９に収まる直方体の形状を有する。そして、図４を参照して説明すると、貫通孔３Ａ〜３Ｅは、片手９の人差し指９ｃを沈み込ませることにより、摺擦面２Ａｂ〜２Ｅｂを汚れ面６ａに向かって加圧すると共に人差し指９ｃと親指９ａの間及び人差し指９ｃと中指９ｂの間に分けてスポンジたわし２Ａ〜２Ｅを一対の側面２Ａｃ〜２Ｅｃ，２Ａｃ〜２Ｅｃの対向方向に保持するものである。また、貫通孔３Ａ〜３Ｅは、片手９の人差し指９ｃを沈み込ませることにより、摺擦面２Ａｂ〜２Ｅｂを汚れ面６ａに向かって加圧すると共に人差し指９ｃの摺擦面２Ａｂ〜２Ｅｂに沿った方向の滑りを規制するものである。
【００５４】
図５（ａ）に示すように、スポンジたわし２Ａは、ウレタンスポンジ層からなる正方形の上面２Ａａが４５ｍｍ×４５ｍｍ、厚みが２０ｍｍ、貫通孔３Ａの直径が１０ｍｍである。
【００５５】
図５（ｂ）に示すように、スポンジたわし２Ｂは、ウレタンスポンジ層からなる正方形の上面２Ｂａが４５ｍｍ×４５ｍｍ、厚みが２０ｍｍ、貫通孔３Ｂの直径が１２ｍｍである。
【００５６】
図６（ａ）に示すように、スポンジたわし２Ｃは、ウレタンスポンジ層からなる正方形の上面２Ｃａが５０ｍｍ×５０ｍｍ、厚みが２０ｍｍ、貫通孔３Ｃの直径が１０ｍｍである。
【００５７】
図６（ｂ）に示すように、スポンジたわし２Ｄは、ウレタンスポンジ層からなる正方形の上面２Ｄａが５０ｍｍ×５０ｍｍ、厚みが２０ｍｍ、貫通孔３Ｄの直径が１２ｍｍである。
【００５８】
図７に示すように、スポンジたわし２Ｅは、ウレタンスポンジ層からなる正方形の上面２Ｅａが４０ｍｍ×４０ｍｍ、厚みが２０ｍｍ、貫通孔３Ｅの直径が１０ｍｍである。
【００５９】
実施の形態２のスポンジたわし２Ａ〜２Ｅは、これらの寸法の組み合わせのそれぞれにおいて、優れた拭き取り効果と気持ちの良い手持ち感覚と往復移動に伴う摺擦の安定した手応えが実験的に確認されている。
【００６０】
［実施の形態３］
実施の形態１及び実施の形態２では、直方体の平面形状が正方形のスポンジたわしを説明した。これに対して、実施の形態３では直方体の平面形状が長方形のスポンジたわしを説明する。
【００６１】
図８に示すように、実施の形態３のスポンジたわし２Ｆは、直方体の平面形状が長方形である以外は実施の形態２のスポンジたわし２Ａ〜２Ｅと同様に構成されている。したがって、図８中、実施の形態２と共通する部材には図５〜図７と同一の符号を付して重複する説明を省略する。
【００６２】
実施の形態３のスポンジたわし２Ｆは、メラミンスポンジ層からなる長方形の上面２Ｆａが７５ｍｍ×１１０ｍｍ、厚みが２０ｍｍ、貫通孔３Ｆの直径が１０ｍｍである。
【００６３】
図３を参照して説明すると、実施の形態３のスポンジたわし２Ｆは、使用する際に一対の側面２Ｆｃ，２Ｆｃを親指９ａと、中指９ｂ，薬指９ｄ，小指９ｅと、で緩く挟み込んで保持しつつ、人差し指９ｃを貫通孔３Ｆに沈み込ませて上面２Ｆａを加圧する。
【００６４】
実施の形態３のスポンジたわし２Ｆは、これらの寸法の組み合わせにより、優れた拭き取り効果と気持ちの良い手持ち感覚と往復移動に伴う摺擦の安定した手応えが実験的に確認されている。
【００６５】
本考案の実施の形態１〜３によれば、何回も再利用が可能で経済的であり、プラスチック廃棄物を減らすことができるスポンジたわしを提供することができる。そして、適正な形状及び寸法の直方体と貫通孔の組み合わせによって、スポンジたわしで摺擦される汚れ面との間で接触状態のばらつきが小さく摺擦効率が高いスポンジたわしを提供することができる。
【００６６】
尚、本考案に係るスポンジたわしの大きさや厚さや形状は、上記実施形態のものに限定されない。それは必要に応じて円盤型、三角形状、５角形状、その他の多角形状や不定形状のもの様々なものが考えられる。
【産業上の利用可能性】
【００６７】
ところで、本考案のスポンジたわしにおいて、摺擦面を構成する材料は、メラミンスポンジ材料に限定されない。摺擦面を構成する材料は、ウレタンスポンジ層、ポリエチレンスポンジ層、塩化ビニルスポンジ層、ゴムスポンジ層、セルローススポンジ等であってもよい。
【００６８】
本考案のスポンジたわしにおいて、貫通孔は、丸孔の他、楕円孔、半円孔、三日月孔、三角柱孔、四角柱孔、多角形孔、星形孔、曲線状孔等、その開口形状を広範囲に定めることができる。
【００６９】
本考案のスポンジたわしにおいて、汚れ面の摺擦時にスポンジの発泡組織に含ませる物質は水のみに限定されない。汚れ面からクリーニングされる物質に応じて最適な物質を選択して、或いは組み合わせて使用することができる。スポンジ組織に水、アルコール、油脂、オイルを単独で含ませてもよく、これらの液体に研磨剤、洗剤、光沢剤、酸、アルカリ等を混合したり、別途供給したりしてもよい。スポンジ組織に含ませる物質と汚れ面に供給する物質とスポンジたわしの摺擦との相乗効果によって高い拭き取り能力を発揮させることができる。
【００７０】
本考案のスポンジたわしにおいて、親指と協働して一対の面を保持する指は中指には限定されず、薬指、薬指及び小指、中指薬指及び小指であってもよい。これに対応して、貫通孔に挿入して沈み込ませる指は、人差し指には限定されず、中指、人差し指及び中指であってもよい。
【００７１】
本考案のスポンジたわしが使用される場所はキッチンには限定されず、実験室、工場、農場、食品加工施設等であってもよい。汚れ面から拭き取られる物質は、水垢と油汚れには限定されない。汚れ面の付着物、塗料、カビ、微生物、変質層、さび等であってもよい。
【００７２】
本考案のスポンジたわしにおいて、摺擦面による汚れ面の摺擦方法はスポンジたわしを手持ちした片手の往復移動、或いは汚れ面に沿ったジグザグ移動には限らない。汚れ面の拭き取りにおいては、汚れ面との間で摺擦を伴う相対移動があればよい。したがって、スポンジたわし停止させた状態で、汚れ面が往復移動、一方向の直線移動、汚れ面に沿った螺旋移動等をしてもよい。また、スポンジたわしの往復移動と摺擦対象の直線移動とを組み合わせてもよい。
【符号の説明】
【００７３】
２，２Ａ，２Ｂ，２Ｃ，２Ｄ，２Ｅ，２Ｆ  スポンジたわし
２Ｈ  比較例のスポンジたわし
２ａ  上面
２ｂ  摺擦面
２ｃ，２ｃ  一対の側面
２ｄ，２ｄ  一対の側面
３，３Ａ，３Ｂ，３Ｃ，３Ｄ，３Ｅ，３Ｆ  貫通孔
３Ｈ  比較例のスポンジたわしの貫通孔
４  ウレタンスポンジ層
５  メラミンスポンジ層
６  摺擦対象
６ａ  汚れ面
【図１】
0003231979.tif 000003
【図２】
0003231979.tif 000004
【図３】
0003231979.tif 000005
【図４】
0003231979.tif 000006
【図５】
0003231979.tif 000007
【図６】
0003231979.tif 000008
【図７】
0003231979.tif 000009
【図８】
0003231979.tif 000010
【図９】
0003231979.tif 000011
【図１０】
0003231979.tif 000012